(57)【特許請求の範囲】
【請求項１】
容器に別々に収容された放出対象の第一，第二の内容物が、単一操作部の作動モード設定操作により、第一，第二の個別通路それぞれでの上流弁として作用する第一，第二のステムおよびその下流側の共通通路に対する移動弁部材を介して、共通通路放出口から混合状態で外部空間域に放出される複数個別内容物の混合放出機構において、
前記単一操作部の作動モード設定操作と連動して少なくとも前記移動弁部材を駆動するカムからなる弁駆動部と、
前記第一，第二のステムをそれぞれ前記上流弁としての閉状態に付勢する第一の弾性部材と、
前記移動弁部材をその閉状態にスライド態様で付勢する第二の弾性部材と、
前記作動モード設定操作と連動する前記カムに従動して、前記移動弁部材を前記第二の弾性部材に抗する態様で開状態に設定するカムフォロワと、
を備え、
前記作動モード設定操作にともなう前記弁駆動部の作動に基づき、
先ず前記第一，第二のステムが、それぞれ個々の前記第一の弾性部材の弾性力に抗する形でそれまでの閉状態から開状態にシフトし、
続いて前記移動弁部材が、前記カムおよび前記カムフォロワのカム作用により、前記第二の弾性部材の弾性力に抗する形で前記閉状態の方向とは逆方向にスライドしてそれまでの閉状態から開状態にシフトする、
ことを特徴とする複数個別内容物の混合放出機構。
【請求項２】
前記カムフォロワは、
前記移動弁部材の構成部材の一部である、
ことを特徴とする請求項１記載の複数個別内容物の混合放出機構。
【請求項３】
前記第一の弾性部材の弾性力は前記第二の弾性部材よりも小さく設定され、
前記単一操作部の作動モード設定操作の初期段階ではもっぱら前記第一，第二のステムが前記第一の弾性部材の弾性力に抗しながら上流弁開方向にシフトする、
ことを特徴とする請求項１または２記載の複数個別内容物の混合放出機構。
【請求項４】
前記第一，第二の個別通路，前記共通通路および前記移動弁部材は、
前記移動弁部材のスライドにより前記第一，第二の個別通路それぞれの流出部分の開閉状態が選択的に設定され、
前記流出部分が開状態のとき、前記第一，第二の内容物が前記第一，第二の個別通路から前記共通通路に流れ、
前記流出部分が閉状態のとき、前記第一，第二の内容物が前記第一，第二の個別通路から前記共通通路に流れるのを阻止する、
態様で配設されている、
ことを特徴とする請求項１乃至３のいずれかに記載の複数個別内容物の混合放出機構。
【請求項５】
前記カムおよび前記カムフォロワは、
前記単一操作部が操作されていない静止モードでのそれぞれのカム作用面が離間し、この離間相当分だけ前記移動弁部材の開状態へのシフト動作が遅れる態様で配設されている、
ことを特徴とする請求項１乃至４のいずれかに記載の複数個別内容物の混合放出機構。
【請求項６】
請求項１乃至請求項５のいずれかに記載の混合放出機構を備え、かつ、容器に噴射用ガスおよび第一，第二の内容物を収容した、
ことを特徴とするエアゾール式製品。
【発明の詳細な説明】
【技術分野】
【０００１】
本発明は、エアゾール容器に収容された第一，第二の内容物（例えば原液Ａと原液Ｂ）の混合放出機構に関する。【０００２】
特に、別々に収容した第一，第二の内容物が、単一操作部の放出操作により、内容物個別通路それぞれの第一，第二のステムおよびその下流の内容物共通通路の移動弁部材（下流弁）を介して、共通放出口から混合状態で放出される内容物混合放出機構に関する。【０００３】
なお、この第一，第二のステムは内容物個別通路に配設された、混合放出機構の上流弁ともいえる。【０００４】
ここで、別々の内容物収容部としては、それぞれの容器がステムを持つ汎用的な複数の連結容器の他、一つの容器に複数のステムを設けた場合のこのステム単位の容器内空間域などがある。【０００５】
本発明は、このように異なる性状で同時使用される複数内容物を使用時まではそれぞれ分離状態で容器などに収容しておき、使用時にこの複数内容物を混合させて外部空間域に放出する混合放出機構を対象とする。【０００６】
内容物共通通路における下流弁としてスライド態様の移動弁部材を設け、それの、単一操作部の作動モード設定操作にともなう閉状態から開状態へのスライド動作の効率的なタイミング化を図っている。このスライド動作タイミング化の動作主体はカムおよびカムフォロワである。【０００７】
例えばこのスライド態様の移動弁部材で、第一，第二の内容物（原液Ａと原液Ｂ）それぞれの個別通路の各流出部分自体の開閉状態を同時設定している（図５，図６参照）。【０００８】
なお、作動モード設定操作の初期段階や静止モードなどでは、共通通路に対する移動弁部材が「閉」であって、個別通路の内容物が移動弁部材の下流側の共通通路に流れることはない。【０００９】
作動モード設定操作にともない移動弁部材が「開」状態に移行すると、各個別通路の内容物がこの開状態の流出弁（下流弁）から共通通路へと流れる。【００１０】
これにより、第一，第二の内容物個々の混合前における各個別通路への取り出し処理を確実にし、かつ、移動弁部材の上流側空間域での内容物混合処理をできるだけ少なくして、混合直後内容物の効率的な外部空間域への放出化を図っている。【００１１】
本明細書では、通常の作動モードにおける容器内容物の放出口の側を「前」とし、それとは容器平面図の中心を挟んで反対の側を「後」とする。例えば図１の左側が「前」で、右側が「後」となる。また、前後方向と略直交する図２および図８の横方向を「左右」とする。
【背景技術】
【００１２】
従来、連結状態の第一および第二のエアゾール容器の各内容物を、単一操作部材の作動モード設定操作で略同時に噴射できるようするための内容物放出機構を備えたエアゾール装置が提案されている（特許文献１参照）。
【先行技術文献】
【特許文献】
【００１３】
【特許文献１】特開平１０−２１８２６３号公報
【発明の概要】
【発明が解決しようとする課題】
【００１４】
上記提案にかかる内容物共通通路での移動弁部材の改良を図り、作動モード設定操作にともなうこの移動弁部材の開状態へのスライド動作の効率的なタイミング化を図ることを目的とする。【００１５】
また、第一，第二の内容物の混合前における各個別通路への取り出し処理を確実にし、かつ、移動弁部材の上流側空間域における内容物混合処理をできるだけ少なくして、混合直後内容物の効率的な外部空間域への放出化を図ることを目的とする。
【課題を解決するための手段】
【００１６】
本発明は、以上の課題を次のようにして解決する。
（１）容器（例えば後述の第一の容器本体１，第二の容器本体２）に別々に収容された放出対象の第一，第二の内容物（例えば後述の第一の内容物Ａ，第二の内容物Ｂ）が、単一操作部（例えば後述の操作部材１５，３５）の作動モード設定操作により、第一，第二の個別通路（例えば後述のＬ字状個別通路１２ａ，２２ａ，３３ａ）それぞれでの上流弁として作用する第一，第二のステム（例えば後述の第一のステム３，第二のステム４）およびその下流側の共通通路（例えば後述の共通通路１２ｃ，２２ｃ，３３ｃ）に対する移動弁部材（例えば後述の移動弁部材１３，２３，３４）を介して、共通通路放出口から混合状態で外部空間域に放出される複数個別内容物の混合放出機構において、
前記単一操作部の作動モード設定操作と連動して少なくとも前記移動弁部材を駆動するカム（例えば後述のカム面１４ｂ，２４ｂ，カム作用垂下片部３５ｄの下端側）からなる弁駆動部（例えば後述のカム部材１４，２４，カム作用垂下片部３５ｄ）と、
前記第一，第二のステムをそれぞれ前記上流弁としての閉状態に付勢する第一の弾性部材（例えば後述の第一の縦方向コイルスプリング３ｂ，第二の縦方向コイルスプリング４ｂ）と、
前記移動弁部材をその閉状態にスライド態様で付勢する第二の弾性部材（例えば後述の横方向コイルスプリング１３ｄ，２３ｄ，３４ｅ）と、
前記作動モード設定操作と連動する前記カムに従動して、前記移動弁部材を前記第二の弾性部材に抗する態様で開状態に設定するカムフォロワ（例えば後述のカムフォロワ１３ｂ，２３ｂ，３４ｂ）と、
を備え、
前記作動モード設定操作にともなう前記弁駆動部の作動に基づき、
先ず前記第一，第二のステムが、それぞれ個々の前記第一の弾性部材の弾性力に抗する形でそれまでの閉状態から開状態にシフトし、
続いて前記移動弁部材が、前記カムおよび前記カムフォロワのカム作用により、前記第二の弾性部材の弾性力に抗する形で前記閉状態の方向とは逆方向にスライドしてそれまでの閉状態から開状態にシフトする、
構成態様のものを用いる。
（２）上記（１）において、
前記カムフォロワは、
前記移動弁部材の構成部材の一部である、
（３）上記（１），（２）において、
前記第一の弾性部材の弾性力は前記第二の弾性部材よりも小さく設定され、
前記単一操作部の作動モード設定操作の初期段階ではもっぱら前記第一，第二のステムが前記第一の弾性部材の弾性力に抗しながら上流弁開方向にシフトする、
構成態様のものを用いる。
（４）上記（１）〜（３）において、
前記第一，第二の個別通路，前記共通通路および前記移動弁部材は、
前記移動弁部材のスライドにより前記第一，第二の個別通路それぞれの流出部分の開閉状態が選択的に設定され、
前記流出部分が開状態のとき、前記第一，第二の内容物が前記第一，第二の個別通路から前記共通通路に流れ、
前記流出部分が閉状態のとき、前記第一，第二の内容物が前記第一，第二の個別通路から前記共通通路に流れるのを阻止する、
態様で配設されている、
構成態様のものを用いる。
（５）上記（１）〜（４）において、
前記カムおよび前記カムフォロワは、
前記単一操作部が操作されていない静止モードでのそれぞれのカム作用面が離間し、この離間相当分だけ前記移動弁部材の開状態へのシフト動作が遅れる態様で配設されている、
構成態様のものを用いる。【００１７】
このような構成からなる混合放出機構およびこれを用いたエアゾール式製品を本発明の対象としている。
【発明の効果】
【００１８】
本発明は、以上の構成をとることにより、
(11)作動モード設定操作にともなう移動弁部材（下流弁）の開状態へのスライド動作の効率的なタイミング化を図り、
(12)第一，第二の内容物の混合前における各個別通路への取り出し処理を確実にし、かつ、移動弁部材の上流側空間域における内容物混合処理をできるだけ少なくして、混合直後内容物の効率的な放出化を図る、
ことなどができる。
【図面の簡単な説明】
【００１９】
【図１】本発明の混合放出機構（その１：内容物放出用の移動弁部材の上流側での内容物混合あり）の静止モードにおける移動弁部材および共通通路などについての前後方向縦断面を示す説明図である。
【図２】図１の前後方向縦断面に対応した、第一・第二の容器本体，第一・第二のステム，移動弁部材およびそれぞれＬ字状の第一・第二の個別通路などについての左右方向縦断面を示す説明図である。
【図３】図１および図２の混合放出機構の作動モードを示す説明図である。
【図４】図１〜図３の混合放出機構の構成要素（連結カバー体１１，通路部材１２，移動弁部材１３，カム部材１４，操作部材１５など）間の関連性を示す説明図である。
【図５】本発明の混合放出機構（その２：移動弁部材の上流側での内容物混合なし）の静止モードにおける移動弁部材，第一・第二個別通路および共通通路などについての横断面を上側からみたときの説明図である。
【図６】図５の混合放出機構のカム面，カムフォロワおよび通路部材などについての縦断面を示す説明図である。
【図７】本発明の混合放出機構（その３：移動弁部材の上流側での内容物混合あり）の静止モードにおける移動弁部材，共通通路およびステム駆動用の一対の垂下片部などについての前後方向縦断面を示す説明図である。
【図８】図７の前後方向縦断面に対応した、第一・第二の容器本体，第一・第二のステム，移動弁部材，一対の垂下片部およびそれぞれＬ字状の第一・第二の個別通路などについての左右方向縦断面を示す説明図である。
【発明を実施するための形態】
【００２０】
図１〜図８を用いて、本発明を実施するための形態を説明する。
【００２１】
以下のアルファベット付き参照番号の構成要素（例えば第一の弁作用部３ａ）は原則として、当該参照番号の数字部分の構成要素（例えば第一のステム３）の一部であることを示している。
【００２２】
図示の混合放出機構は、概略、次の三つの態様、
(21)図１〜図４（その１）の「移動弁部材の上流側での内容物混合あり，ステム用および移動弁部材用それぞれのコイルスプリングの強弱利用あり，カム面とカムフォロワとの初期離間設定なし」
(22)図５，図６（その２）の「移動弁部材の上流側での内容物混合なし，ステム用および移動弁部材用それぞれのコイルスプリングの強弱利用あり，カム面とカムフォロワとの初期離間設定なし」
(23)図７，図８（その３）の「移動弁部材の上流側での内容物混合あり，ステム用および移動弁部材用それぞれのコイルスプリングの強弱利用なし，カム面とカムフォロワとの初期離間設定あり」
に大別される。
【００２３】
これら混合放出機構（その１〜その３）全体に該当する共通事項は、
(31)混合放出機構の流入弁として内容物Ａ，Ｂそれぞれの個別通路の各ステムの弁作用部が作用し、また流出弁として個別通路に続く共通通路の移動弁部材が作用し、
(32)操作部材の放出操作により先ず各ステムの流入弁が開いて個別通路のそれぞれに内容物Ａ，Ｂが個々に流入し、続いて移動弁部材の流出弁が開くことにより共通通路から混合状態の内容物Ａ，Ｂが外部空間域に放出され、
(33)この移動弁部材の流出弁「開」状態へのスライド移行に際し、操作部材と移動弁部材との間のカム作動手段を用いている、
ことなどである。
【００２４】
また、操作部材の放出操作により先ずステムの流入弁（弁作用部）が開き、続いて移動弁部材の流出弁が開くといったいわば流入出弁作用開始の時間差設定には、
(41)ステム弁作用部への「閉」付勢用のコイルスプリングなどの弾性力を、移動弁部材へのその弾性力よりも弱く設定する、
(42)上記(33)のカム作動手段のカム面とカムフォロワとの間に初期間隔を設定し、この初期間隔分だけ移動弁部材のシフト開始を遅らせる、
などの手法を用いている。
【００２５】
図１〜図８において、
Ａは後述の第一の容器本体１に収容された第一の内容物（原液および噴射剤など），
Ｂは第一の容器本体１と連結状態の後述の第二の容器本体２に収容された第二の内容物（原液および噴射剤など），
Ｃは外部空間域に放出された混合内容物，
１は第一の内容物Ａを収容した第一の容器本体，
２は第二の内容物Ｂを収容して第一の容器本体１に連結された第二の容器本体，
３は第一の容器本体１に設けられて放出内容物への周知の通路作用および流入弁作用などを呈する第一のステム，
３ａは第一のステム３に設けられた周知の第一の弁作用部（混合放出機構の上流弁，流入弁），
３ｂは第一のステム３を図示上方向に付勢して第一の弁作用部３ａを「閉」の初期状態に設定する第一の縦方向コイルスプリング，
４は第二の容器本体２に設けられて放出内容物への周知の通路作用および流入弁作用などを呈する第二のステム，
４ａは第二のステム４に設けられた周知の第二の弁作用部（混合放出機構の上流弁，流入弁），
４ｂは第二のステム４を図示上方向に付勢して第二の弁作用部４ａを「閉」の初期状態に設定する第二の縦方向コイルスプリング，
５は第一，第二の容器本体１，２を連結して一体化する連結部材，
５ａは連結部材５の左右側面それぞれの下端側に形成されて後述の連結カバー体１１，２１，３１を係合保持する周方向凸状部、
をそれぞれ示している。
【００２６】
なお、第一，第二の弁作用部３ａ，４ａは周知の構成要素であり、ステム３，４の内容物通路域への連通孔部、この孔部を開閉するステムラバー、およびステム３，４を「孔部閉」の初期状態に付勢する縦方向コイルスプリング３ｂ，４ｂなどからなっている。
【００２７】
図１〜図４の混合放出機構（その１）において、
１１は連結部材５に取り外しできる態様で取り付けられて、後述の通路部材１２および操作部材１５の組込み対象となる連結カバー体，
１１ａは後述の通路部材１２などが組み込まれる開口部，
１１ｂは連結カバー体１１の左右両側面の下端側に形成されて、それぞれの上部分内側への押圧操作によりこの連結カバー体と連結部材５の周方向凸状部５ａとの係合状態を解除できる一対の取外し操作部，
１１ｃは取外し操作部１１ｂのそれぞれに形成されて周方向凸状部５ａと係合する一対の周方向孔部，
１１ｄは連結カバー体１１の内周面の略前後・左右端に形成されて後述の操作部材１５を嵌合保持して組み込むための計四個の凹状部，
１２は第一，第二のステム３，４それぞれの出口部分に嵌合してそこから外部空間域への流出口までの内容物通路域を構成する通路部材，
１２ａは通路部材１２の上流側を構成する一対のＬ字状個別通路，
１２ｂはＬ字状個別通路１２ａのそれぞれを個々に嵌合保持する一対の通路取付部，
１２ｃはＬ字状個別通路１２ａそれぞれの合流部分から下流側に設定されて外部空間域へ通じる第一，第二の内容物Ａ，Ｂの共通通路，
１２ｄは共通通路１２ｃに形成されて後述の弁体１３ａとの弁作用（内容物放出機構の下流弁作用）を呈する環状の弁座，
１２ｅはその内部に後述の移動弁部材１３を保持する後横筒状部，
１２ｆはその内部に後述のカム部材１４を保持する上縦筒状部，
１２ｇは後横筒状部１２ｅの後端側に嵌合状態で固定されて後述の横方向コイルスプリング１３ｄの後端部分を受ける尾栓，
１３は通路部材１２の後横筒状部１２ｅに収容保持されて、弁座１２ｄとの間の流出弁作用を呈する略円柱状からなりカムフォロワ兼用で、前後方向にスライド作動する移動弁部材，
１３ａは移動弁部材１３の円周状の前端面周縁部分にテーパ面状で形成されて、弁座１２ｄとともに流出弁を構成する弁体，
１３ｂは移動弁部材１３の前後方向中間外周面の周回部分に形成されて後述のカム面１４ｂに従動する段部縁形状のカムフォロワ，
１３ｃはカムフォロワ１３ｂの後側周面に形成された環状段部，
１３ｄは尾栓１２ｇと環状段部１３ｃとの間に配設されてその弾性力が第一，第二の縦方向コイルスプリング３ｂ，４ｂのそれよりも十分強く、移動弁部材１３を前方向、すなわち流出弁（弁座１２ｄ＋弁体１３ａ）の閉状態方向に付勢する横方向コイルスプリング，
１４は上下動できる態様で通路部材１２の上縦筒状部１２ｆに収容保持されて、移動弁部材１３の駆動部として動作するカム部材，
１４ａは上開口で下端側外面にて移動弁部材１３とのカム作用を呈する中央鞘状部，
１４ｂは中央鞘状部１４ａの下端外面側に形成された環状のテーパ面からなり、移動弁部材１３のカムフォロワ１３ｂと当接し、これを後述の操作部材１５の押下げ操作により後方へ駆動するカム面，
１４ｃは後述の操作部材１５の回動押し下げ操作にともない下方に連動する上半球状面，
１４ｄは通路部材１２の上縦筒状部１２ｆに当接した状態で上下動するスカート状部，
１５は連結カバー体１１に例えば凹凸係合（図示省略）状態で組み込まれた単一回動式の内容物放出用の操作部材，
１５ａは押下げ回動対象の操作面，
１５ｂは操作面１５ａの回動中心として作用する回動軸，
１５ｃはカム部材１４の上半球状面１４ｃに当接して下方への内容物放出操作にともない連動する前後方向の凹円弧状部，
１５ｄは凹状部１１ｄとの嵌合作用により操作部材１５が連結カバー体１１に組み込まれる計四個の凸状部，
をそれぞれ示している。
【００２８】
図１，図２の静止モードのとき、
(51)第一，第二のステム３，４それぞれが第一，第二の縦方向コイルスプリング３ｂ，４ｂの弾性作用で初期上動位置へ付勢されて、これらステムの第一，第二の弁作用部３ａ，４ａがともに閉状態に設定され、
(52)移動弁部材１３が横方向コイルスプリング１３ｄの弾性力で前方向に付勢され、また流出弁（弁座１２ｄ＋弁体１３ａ）が閉状態に設定され、
(53)これら弁作用部および流出弁の「閉」状態により、第一の容器本体１の内容物が通路部材１２から外部空間域に放出されることはない。
【００２９】
また、図３の作動モードのとき、
(61)操作面１５ａへの押下げ操作にともない操作部材１５がその回動軸１５ｂを中心に図示時計方向に回動し、
(62)この回動に応じて、凹円弧状部１５ｃと当接する上半球状面１４ｃを備えたカム部材１４が下方に移動し、
(63)このカム部材１４の下方への移動のとき、そのカム面１４ｂと当接しているカムフォロワ１３ｂを備えた移動弁部材１３およびこれを収容した通路部材１２が、図１の位置関係のまま、すなわち流出弁（弁座１２ｄ＋弁体１３ａ）を閉じたまま下方へ連動し、
(64)このとき、通路部材１２に一体化されている第一，第二のステム３，４も、第一，第二の縦方向コイルスプリング３ｂ，４ｂの弾性力に抗しながら下方に移動し、第一，第二の弁作用部３ａ，４ａ（混合放出機構の上流弁）が開状態となる。
【００３０】
なお、上記(63)で通路部材１２が流出弁を閉じたまま、すなわち移動弁部材１３が後退することなしに下動するのは、移動弁部材用の横方向コイルスプリング１３ｄの弾性力がステム用の縦方向コイルスプリング３ｂ，４ｂのそれよりも十分に大きいからである。
【００３１】
そして第一，第二のステム３，４がいわば下死点までシフトした後の押下げ操作の終り段階では、カム面１４ｂとカムフォロワ１３ｂとのカム作用により移動弁部材１３が横方向コイルスプリング１３ｄの弾性力に抗しながら後退する。
【００３２】
この移動弁部材１３の後方への移動により、混合放出機構（その１）の流出弁（弁座１２ｄ＋弁体１３ａ）がそれまでの「閉」状態から「開」状態へとシフトする。
【００３３】
「開」状態へシフトしたこの流出弁に対し、Ｌ字状個別通路１２ａからの放出対象内容物は通路部材１２の内周面および弁体１３ａの外周面の対向部分の隙間を移動して流入する。
【００３４】
図５および図６の混合放出機構（その２）において、
２１は連結部材５に取り外しできる態様で取り付けられて、後述の通路部材２２および操作部材（図示省略：操作部材１５と同様の構成）の組込み対象となる連結カバー体，
２１ａは通路部材２２などが組み込まれる開口部，
２１ｂは連結カバー体２１の左右両側面の下端側に形成されて、それぞれの上部分内側への押圧操作によりこの連結カバー体と連結部材５の周方向凸状部５ａとの係合状態を解除できる一対の取外し操作部，
２２は第一，第二のステム３，４それぞれの出口部分に嵌合してそこから外部空間域への流出口までの内容物通路域を構成するなどの角断面鞘状、例えば四角断面鞘状の柱状空間域通路部材，
２２ａは通路部材２２の上流側を構成する一対のＬ字状個別通路，
２２ｂはＬ字状個別通路２２ａのそれぞれを個々に嵌合保持する一対の通路取付部，
２２ｃはＬ字状個別通路２２ａそれぞれの合流部分から下流側に設定されて外部空間域へ通じる第一，第二の内容物Ａ，Ｂの共通通路，
２２ｄは共通通路２２ｃの側面にＬ字状個別通路２２ａのそれぞれと連通する態様で形成されて後述の弁体２３ａとの弁作用（下流弁作用）を呈する一対の孔部，
２２ｅはその内部に後述の移動弁部材２３を保持し、後述の横方向コイルスプリング２３ｄの後端部分を受ける後横鞘状部，
２２ｆはその内部に後述のカム部材２４を保持する上縦筒状部，
２３は通路部材２２の後横鞘状部２２ｅに収容保持されて孔部２２ｄとの間の流出弁作用を呈し、この通路部材の上記角断面に合致した略角柱形状のカムフォロワ兼用で、前後方向にスライド作動する移動弁部材，
２３ａは移動弁部材２３の左右両側面部分にそれぞれ対向起立面状の態様で形成されて、孔部２２ｄとともに流出弁を構成する一対の弁体，
２３ｂは移動弁部材２３の前方上面における一対の弁体２３ａのいわば間に後ろ上がりで形成されて後述のカム面２４ｂに従動する斜平面形状のカムフォロワ，
２３ｃは移動弁部材２３の後側部分に形成された鞘状孔部，
２３ｄは後横鞘状部２２ｅの底部と鞘状孔部２３ｃとの間に配設されて移動弁部材２３を前方向、すなわち流出弁（孔部２２ｄ＋弁体２３ａ）の閉状態方向に付勢する横方向コイルスプリング，
２４は上下動できる態様で通路部材２２の上縦筒状部２２ｆに収容保持されて、移動弁部材２３の駆動部として動作するカム部材，
２４ａは上開口で下端側外面にて移動弁部材２３とのカム作用を呈する中央鞘状部，
２４ｂは中央鞘状部２４ａの下端外面側に形成された環状のテーパ面からなり、移動弁部材２３のカムフォロワ２３ｂと当接し、これを操作部材（操作部材１５と同様の構成）の押下げ操作により後方へと駆動するカム面，
２４ｃは通路部材２２の上縦筒状部２２ｆの内周面に当接した状態で上下動するスカート状部，
をそれぞれ示している。
【００３５】
図５，図６の混合放出機構の場合、上述したように第一，第二の容器本体１，２の内容物Ａ，Ｂが、それぞれ専用通路部としての別々のＬ字状個別通路２２ａ，２２ａを通過して混合されることなしに下流弁の孔部２２ｄより共通通路２２ｃに流入する。
【００３６】
すなわち、この内容物Ａ，Ｂそれぞれに対する一対の孔部２２ｄまでの専用通路部としてのＬ字状個別通路２２ａを個別に設け、これら内容物が共通通路２２ｃに流入するまで混合されることがないようにしている。
【００３７】
図６から明らかなように、混合放出機構（その２）の静止モードでは、
(71)移動弁部材２３が横方向コイルスプリング２３ｄの弾性力により初期位置の図示左方へ付勢されて、そのカムフォロワ２３ｂに、操作部材（図示省略）と連動するカム部材２４のカム面２４ｂが当接し、
(72)移動弁部材２３の一部からなる一対の弁体２３ａ，２３ａが、それぞれ一対のＬ字状個別通路２２ａ，２２ａの流出口である一対の孔部２２ｄ，２２ｄを「閉」に設定している。
【００３８】
内容物放出操作にともないこの静止モードのカム部材２４が下動すると、
(81)そのカム面２４ｂと移動弁部材２３のカムフォロワ２３ｂとのカム作用により、移動弁部材２３の全体が横方向コイルスプリング２３ｄの弾性力に抗しながら後退し、
(82)移動弁部材２３の一部である一対の弁体２３ａ，２３ａも後方に移動してそれぞれ通路部材２２の一対の孔部２２ｄ，２２ｄから逃げる状態に設定され、この孔部を介して一体のＬ字状個別通路２２ａ，２２ａがそれぞれ共通通路２２ｃと連通する。
【００３９】
すなわち、第一，第二の容器本体１，２の内容物Ａ，Ｂが孔部２２ｄの下流側の共通通路２２ｃの部分ではじめて混合される。
【００４０】
図７および図８の混合放出機構（その３）において、
３１は連結部材５に取り外しできる態様で取り付けられて、後述の通路部材３３および操作部材３５の組込み対象となる連結カバー体，
３１ａは後述の通路部材３３などが組み込まれる開口部，
３１ｂは連結カバー体３１の左右両側面の下端側に形成されて、それぞれの上部分内側への押圧操作によりこの連結カバー体と連結部材５の周方向凸状部５ａとの係合状態を解除できる一対の取外し操作部，
３１ｃは取外し操作部３１ｂのそれぞれに形成されて周方向凸状部５ａと係合する一対の周方向孔部，
３２は第一，第二のステム３，４それぞれの流出側に嵌合してこれを下動させることにより作動モードを設定するステム駆動部材，
３２ａはその上端部分に後述のステム駆動用垂下片部３５ｃが当接する環状起立部、
３２ｂはステム３，４それぞれの流出口と直に連通する態様で形成された一対の内容物流入孔部，
３２ｃは内容物流入孔部３２ｂの出口周囲に設けられ、後述のＬ字状個別通路３３ａの内周面で液密に摺動する一対の逆スカート状部，
３３は連結カバー体３１に固定され、概略、ステム駆動部材３２の内容物流入孔部３２ｂから外部空間域への流出口までの内容物通路域を構成する通路部材，
３３ａは通路部材３３の上流側を構成する一対のＬ字状個別通路，
３３ｂはＬ字状個別通路３３ａのそれぞれを個々に嵌合保持する一対の通路取付部，
３３ｃはＬ字状個別通路３３ａそれぞれの合流部分から下流側に設定されて外部空間域へ通じる第一，第二の内容物Ａ，Ｂの共通通路，
３３ｄは共通通路３３ｃの前方に嵌合してその後端が後述の弁体３４ａとの弁作用（内容物放出機構の下流弁作用）を呈するノズル，
３３ｅはノズル３３ｄの後端に形成された環状の弁座，
３３ｆはその内部に後述の移動弁部材３４を保持する後横筒状部，
３３ｇは後横筒状部３３ｆの内面に設けられた環状段部，
３４は通路部材３３の後横筒状部３３ｆに収容保持されて弁座３３ｅとの間の流出弁作用を呈する略円柱状のカムフォロワ兼用で、前後方向にスライド作動する移動弁部材，
３４ａは移動弁部材３４の円周状の前端面周縁部分にテーパ面状で形成されて、弁座３３ｅとともに流出弁を構成する弁体，
３４ｂは移動弁部材３４の後端側に設けられて後述のカム作用垂下片部３５ｄの下端傾斜カム面に従動する後上がり斜面形状のカムフォロワ，
３４ｃは弁体３４ａの後側周面の前後方向に形成されたリブ，
３４ｄは後横筒状部３３ｆの内周面を液密に摺動するスカート状部，
３４ｅは環状段部３３ｇとリブ３４ｃとの間に配設されて移動弁部材３４を前方向、すなわち流出弁（弁座３３ｅ＋弁体３４ａ）の閉状態の方向に付勢する横方向コイルスプリング，
３５は連結カバー体３１に例えば凹凸係合（図示省略）状態で組み込まれた単一回動式の内容物放出用の操作部材，
３５ａは押下げ回動対象の操作面，
３５ｂは操作面３５ａの回動中心として作用する回動軸，
３５ｃは環状起立部３２ａの上端面と当接する態様で操作面３５ａの裏側部分などに形成されて、操作部材３５の押下げ操作によりステム３，４を間接的に押し下げる一対のステム駆動用垂下片部，
３５ｄは操作面３５ａの裏側部分などに形成されて、その下端側の後上がりの傾斜カム面が操作部材３５の押下げ操作によりカムフォロワ３４ｂと当接し、移動弁部材３４を後方へ駆動して流出弁（弁座３３ｅ＋弁体３４ａ）を作動モードの開状態に設定するカム作用垂下片部，
をそれぞれ示している。
【００４１】
図７，図８の混合放出機構の場合、
(91)通路部材３３やノズル３３ｄは連結カバー体３１にいわば固定されて、図１〜図４の通路部材１２とは違い、操作部材３５の回動操作に連動せず、
(92)操作部材３５の回動操作にともない、この操作部材と一体のステム駆動用垂下片部３５ｃおよびカム作用垂下片部３５ｄが下動し、
(93)この下動により一対のステム駆動用垂下片部３５ｃ，３５ｃがそれぞれの下端部分でステム駆動部材３２の環状起立部３２ａを押し下げる。
【００４２】
操作部材３５が回動操作されていない図７，図８の静止モードでは、
(101)ステム駆動部材３２は一対のステム駆動用垂下片部３５ｃ，３５ｃで駆動されず、
(102)第一，第二のステム３，４の各弁作用部３ａ，４ａが図１および図２の場合と同じくともに「閉」状態に設定され、
(103)操作部材３５のカム作用垂下片部３５ｄが移動弁部材３４のカムフォロワ３４ｂから離間している。
【００４３】
この静止モードの操作面３５ａを押し下げると操作部材３５の操作面側が回動軸３５ｂを中心に図７の時計方向に回動する。
【００４４】
この操作面側の回動にともない、先ず一対のステム駆動用垂下片部３５ｃ，３５ｃがその下端面でステム駆動部材３２を押し下げて、第一，第二のステム３，４の各弁作用部３ａ，４ａが図１および図２の場合と同じくともに「閉」状態から「開」状態にシフトする。
【００４５】
このステム駆動部材３２が押し下げられるとき、その程度に応じてステム駆動用垂下片部３５ｃ，３５ｃがそれぞれいわば撓むことになる。
【００４６】
他方、カム作用垂下片部３５ｄの下端斜面が移動弁部材３４のカムフォロワ３４ｂに当接した後は、双方のカム作用により移動弁部材３４が横方向コイルスプリング３４ｅの弾性力に抗しながら後方へ移動する。
【００４７】
この移動弁部材３４の後方への移動により、図７，図８の混合放出機構の流出弁（弁座３３ｅ＋弁体３４ａ）がそれまでの「閉」状態から「開」状態へとシフトする。
【００４８】
「開」状態へシフトしたこの流出弁に対し、Ｌ字状個別通路３３ａからの放出対象内容物は隣のリブ３４ｃ同士の隙間を移動して流入する。
【００４９】
こここで、第一の容器本体１，第二の容器本体２は例えば金属製，ガラス製またはポリエチレンテレフタレート，ポリエチレンナフタレートなどのプラスチック製のものである。
【００５０】
また、第一のステム３，第二のステム４，第一の縦方向コイルスプリング３ｂ，第二の縦方向コイルスプリング４ｂ，横方向コイルスプリング１３ｄ，２３ｄ，３４ｅは例えば金属製またはプラスチック製のものである。これらを除く、連結部材５，連結カバー体１１，２１，３１，通路部材１２，２２，３３，移動弁部材１３，２３，３４，カム部材１４，２４，操作部材１５，３５，ステム駆動部材３２は例えばポリプロピレン，ポリエチレン，ポリアセタール，ナイロン，ポリブチレンテレフタレートなどからなるプラスチック製のものである。
【００５１】
また、第一のステム３，第二のステム４のガスケットは例えばポリプロピレン，ポリエチレンなどからなるプラスチック製や、ゴム製またはエラストマー製のものである。
【００５２】
図１〜図８のエアゾール式製品の組立て手順は、例えば、連結カバー体１１，２１，３１に、上方より通路部材１２，２２やステム駆動部材３２を差し込んだ通路部材３３を組み込み、その上から操作部材１５，３５を係合する。
【００５３】
このとき、通路部材１２の場合には、あらかじめ後横筒状部１２ｅに移動弁部材１３・横方向コイルスプリング１３ｄを順に入れて尾栓１２ｇで固定し、上縦筒状部１２ｆにカム部材１４を係合しておく。
【００５４】
また、通路部材２２の場合には、あらかじめ後横鞘状部２２ｅに前方より横方向コイルスプリング２３ｄ・カム部材２４を順にいれたあとに、上縦筒状部２２ｆにカム部材２４を係合しておく。
【００５５】
また、通路部材３３の場合には、あらかじめノズル３３ｄを外した状態の通路部材３３の前方より、横方向コイルスプリング３４ｅを通した移動弁部材３４の前側部分を入れ、これに後方より入れた移動弁部材３４の後側部分を嵌合し、その後、ノズル３３ｄを前方に嵌合しておく。
【００５６】
第一の容器本体１および第二の容器本体２は、第一のステム３・第二のステム４が設けられたマウンティングカップ部分を連結部材５にそれぞれ取り付けて、露出した本体部分に熱収縮被覆などをかぶせて第一の容器本体１および第二の容器本体２を並べた状態で一体化しておく。
【００５７】
この容器本体の連結部材５に通路部材を組み込んだ連結カバー体１１，２１，３１をかぶせて、周方向凸状部５ａに周方向孔部１１ｃ，３１ｃを係止させる、といった手順となる。
【００５８】
本発明が以上の実施形態に限定されないことは勿論であり、
(111)図５，６の上流弁・下流弁の開状態へのシフト動作をずらす方法として、横方向コイルスプリング２３ｄを混合放出機構の第一の縦方向コイルスプリング３ｂおよび第二の縦方向コイルスプリング４ｂより大きい弾性力に設定する方法に代え、図７，６の混合放出機構のカムフォロワ３４ｂとカム作用垂下片部３５ｄのそれぞれのカム作用面を静止モードで離間しておく方法を採用する、
(112)第一の容器本体１および第二の容器本体２に代えて、一つの容器本体に第一の内容物Ａおよび第二の内容物Ｂを分離した状態で収容し、これらの内容物を個別に流出させるための第一のステム３および第二のステム４を設ける、
(113)操作部材１５，３５を回動タイプ以外の、押下げタイプやトリガタイプにする、
ようにしてもよい。
【００５９】
本発明が適用されるエアゾール式製品としては、染毛剤の他、洗浄剤，清掃剤，制汗剤，冷却剤，筋肉消炎剤，ヘアスタイリング剤，ヘアトリートメント剤，育毛剤，化粧品，シェービングフォーム，食品，栄養補助食品（ビタミンなど），医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。
【００６０】
容器本体に収容される内容物としては、液状，クリーム状，ゲル状など種々の形態のものを用いる。内容物に配合される成分は例えば、粉状物，油成分，アルコール類，界面活性剤，高分子化合物，各用途に応じた有効成分，水などである。
【００６１】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，塩化マグネシウム，シリカ，酸化亜鉛，酸化チタン，ゼオライト，ナイロンパウダー，硫酸バリウム，セルロース，これらの混合物などを用いる。
【００６２】
油成分としては、ジメチルポリシロキサンなどのシリコーン油，ミリスチン酸イソプロピルなどのエステル油，パーム油，ユーカリ油，ツバキ油，オリーブ油，ホホバ油などの油脂，流動パラフィンなどの炭化水素油，ミリスチン酸，パルミチン酸，ステアリン酸，リノール酸，リノレン酸などの脂肪酸などを用いる。
【００６３】
アルコール類としては、エタノールなどの１価の低級アルコール，ラウリルアルコールやセタノールなどの１価の高級アルコール，エチレングリコール，１，３−ブチレングリコールやグリセリンなどの多価アルコールなどを用いる。
【００６４】
界面活性剤としては、ラウリル硫酸ナトリウムなどのアニオン性界面活性剤，ポリオキシエチレンアルキルエーテルやポリグリセリン脂肪酸エステルなどの非イオン性界面活性剤，ラウリルジメチルアミノ酢酸ベタインなどの両性界面活性剤，塩化アルキルトリメチルアンモニウムなどのカチオン性界面活性剤などを用いる。
【００６５】
高分子化合物としては、ヒドロキシエチルセルロース，メチルセルロース，ゼラチン，デンプン，カゼイン，キサンタンガム，カルボキシビニルポリマーなどを用いる。
【００６６】
各用途に応じた有効成分としては、パラフェニレンジアミン，アミノフェノールなどの染料，過酸化水素水などの酸化剤，アクリル系樹脂やワックスなどのセット剤，パラメトキシケイ皮酸２−エチルヘキシルなどの紫外線吸収剤，レチノールやｄｌ−α−トコフェロールなどのビタミン，ヒアルロン酸などの保湿剤，サリチル酸メチル，インドメタシンなどの消炎鎮痛剤，安息香酸ナトリウム，クレゾールなどの除菌剤，ピレスロイド，ジエチルトルアミドなどの害虫忌避剤，パラフェノールスルホン酸亜鉛などの制汗剤，カンフル，メントールなどの清涼剤，エフェドリン，アドレナリンなどの抗喘息薬，スクラロース，アスパルテームなどの甘味料，エポキシ樹脂，ウレタンなどの接着剤や塗料，パラフェニレンジアミン，アミノフェノールなどの染料，過酸化水素水などの酸化剤，リン酸二水素アンモニウム，炭酸水素ナトリウム・カリウムなどの消火剤などを用いる。
【００６７】
さらに、上記内容物以外の、懸濁剤，乳化剤，酸化防止剤，金属イオン封鎖剤なども用いることができる。
【００６８】
エアゾール式製品における内容物放出用ガスとしては、炭酸ガス，窒素ガス，圧縮空気，酸素ガス，希ガス，これらの混合ガスなどの圧縮ガスや、液化石油ガス，ジメチルエーテル，フロロカーボンなどの液化ガスを用いる。
【符号の説明】
【００６９】
（図１〜図８）
Ａ：第一の内容物
Ｂ：第二の内容物
Ｃ：混合内容物
１：第一の容器本体
２：第二の容器本体
３：第一のステム
３ａ：第一の弁作用部（流入弁）
３ｂ：第一の縦方向コイルスプリング
４：第二のステム
４ａ：第二の弁作用部（流入弁）
４ｂ：第二の縦方向コイルスプリング
５：連結部材
５ａ：周方向凸状部【００７０】
（図１〜図４）
１１：連結カバー体
１１ａ：開口部
１１ｂ：一対の取外し操作部
１１ｃ：一対の周方向孔部
１１ｄ：計四個の凹状部
１２：通路部材
１２ａ：一対のＬ字状個別通路
１２ｂ：一対の通路取付部
１２ｃ：共通通路
１２ｄ：環状の弁座
１２ｅ：後横筒状部
１２ｆ：上縦筒状部
１２ｇ：尾栓
１３：移動弁部材
１３ａ：弁体
１３ｂ：カムフォロワ
１３ｃ：環状段部
１３ｄ：横方向コイルスプリング
１４：カム部材
１４ａ：中央鞘状部
１４ｂ：カム面
１４ｃ：上半球状面
１４ｄ：スカート状部
１５：操作部材
１５ａ：操作面
１５ｂ：回動軸
１５ｃ：凹円弧状部
１５ｄ：計四個の凸状部【００７１】
（図５および図６）
２１：連結カバー体
２１ａ：開口部
２１ｂ：取外し操作部
２２：通路部材
２２ａ：一対のＬ字状個別通路
２２ｂ：一対の通路取付部
２２ｃ：共通通路
２２ｄ：一対の孔部
２２ｅ：後横鞘状部
２２ｆ：上縦筒状部
２３：移動弁部材
２３ａ：一対の弁体
２３ｂ：斜平面形状のカムフォロワ
２３ｃ：鞘状孔部
２３ｄ：横方向コイルスプリング
２４：カム部材
２４ａ：中央鞘状部
２４ｂ：カム面
２４ｃ：スカート状部【００７２】
（図７および図８）
３１：連結カバー体
３１ａ：開口部
３１ｂ：一対の取外し操作部
３１ｃ：一対の周方向孔部
３２：ステム駆動部材
３２ａ：環状起立部
３２ｂ：一対の内容物流入孔部
３２ｃ：一対の逆スカート状部
３３：通路部材
３３ａ：一対のＬ字状個別通路
３３ｂ：一対の通路取付部
３３ｃ：共通通路
３３ｄ：ノズル
３３ｅ：環状の弁座
３３ｆ：後横筒状部
３３ｇ：環状段部
３４：移動弁部材
３４ａ：弁体
３４ｂ：後上がり斜面形状のカムフォロワ
３４ｃ：リブ
３４ｄ：スカート状部
３４ｅ：横方向コイルスプリング
３５：操作部材
３５ａ：操作面
３５ｂ：回動軸
３５ｃ：一対のステム駆動用垂下片部
３５ｄ：カム作用垂下片部
【図１】
0006966827.tif 000002
【図２】
0006966827.tif 000003
【図３】
0006966827.tif 000004
【図４】
0006966827.tif 000005
【図５】
0006966827.tif 000006
【図６】
0006966827.tif 000007
【図７】
0006966827.tif 000008
【図８】
0006966827.tif 000009